(57)【要約】【課題】デュアルレンズカメラシステムを提供する。【解決手段】デュアルレンズカメラシステムが提供され、それぞれ、レンズを受け入れるレンズホルダ、少なくとも一つの磁気素子、および、駆動板を有する第一レンズ駆動モジュール、および、第二レンズ駆動モジュールを有する。駆動板は、少なくとも一つの駆動コイルを有して、磁気素子との間に電磁力を生成して、レンズの光軸に垂直な一方向に沿って、レンズホルダを移動させる。  第一、および、第二レンズ駆動モジュール中、互いに平行、且つ、隣接する両側で、磁気素子は、異なる配置で設置される。【選択図】図７
2017198988.tif 000002
【特許請求の範囲】
【請求項１】
デュアルレンズカメラシステムであって、長軸方向で設置される第一、および、第二レンズ駆動モジュールを有し、前記第一、および、前記第二レンズ駆動モジュールは、ぞれぞれ、
レンズを収容するレンズホルダと、
少なくとも一つの磁気素子、および、
少なくとも一つの第一駆動コイルを有し、前記第一駆動コイルが、前記磁気素子との間に電磁力を生成して、前記レンズホルダを、前記レンズの光軸に垂直な一方向に沿って移動させる駆動板、を有し、
前記第一、および、前記第二レンズ駆動モジュール中、互いに平行、且つ、隣接する両側で、前記磁気素子が異なる配置で設置されることを特徴とするデュアルレンズカメラシステム。
【請求項２】
前記第一、および、前記第二レンズ駆動モジュール中、互いに平行、且つ、隣接する両側で、前記磁気素子は、前記隣接する両側間の中心線に対して、非対称に設置されることを特徴とする請求項１に記載のデュアルレンズカメラシステム。
【請求項３】
前記長軸方向に沿って見るとき、前記第一、および、前記第二レンズ駆動モジュール中、互いに平行、且つ、隣接する両側で、前記磁気素子は重複しないことを特徴とする請求項１に記載のデュアルレンズカメラシステム。 
【請求項４】
前記第一レンズ駆動モジュール中の前記磁気素子は、長方形、あるいは、三角形の構造を有することを特徴とする請求項１に記載のデュアルレンズカメラシステム。 
【請求項５】
前記第一レンズ駆動モジュールは、さらに、前記第一レンズ駆動モジュールの四隅にそれぞれ設置される４個の磁気素子を有することを特徴とする請求項１に記載のデュアルレンズカメラシステム。
【請求項６】
前記磁気素子は、少なくとも一つの多極磁石を有することを特徴とする請求項１に記載のデュアルレンズカメラシステム。
【請求項７】
前記磁気素子は、前記第二レンズ駆動モジュールに隣接する前記第一レンズ駆動モジュールの第一側辺に設置されないことを特徴とする請求項１に記載のデュアルレンズカメラシステム。
【請求項８】
前記第一レンズ駆動モジュールは、前記第一側辺と反対の第二側辺に設置される前記磁気素子を有し、且つ、前記磁気素子の幅は、前記第一レンズ駆動モジュールの他の前記磁気素子の幅より大きいことを特徴とする請求項７に記載のデュアルレンズカメラシステム。
【請求項９】
前記第一レンズ駆動モジュールは、前記第一側辺と反対の第二側辺に設置される前記磁気素子を有し、且つ、前記第一側辺に設置されるとともに、前記磁気素子に対応する重量部材を有して、前記第一レンズ駆動モジュールの重量平衡を維持することを特徴とする請求項７に記載のデュアルレンズカメラシステム。
【請求項１０】
前記第一レンズ駆動モジュールの前記磁気素子の磁極方向は、前記レンズの前記光軸に平行であることを特徴とする請求項１に記載のデュアルレンズカメラシステム。
【請求項１１】
前記第一レンズ駆動モジュールは、さらに、磁界感知素子を有し、前記磁気素子、および、前記磁界感知素子は、前記第二レンズ駆動モジュールに隣接する前記第一レンズ駆動モジュールの第一側辺に設置され、前記磁界感知素子は、前記磁気素子の磁界変化を検出することにより、前記磁気素子の位置オフセット量を知り、且つ、前記光軸に沿って見るとき、前記磁気素子、および、前記磁界感知素子は重複しないことを特徴とする請求項１に記載のデュアルレンズカメラシステム。
【請求項１２】
前記第一レンズ駆動モジュールは、二個の前記磁界感知素子を有し、前記磁気素子、および、前記磁界感知素子は、前記第一側辺に設置され、且つ、前記磁気素子は、前記磁界感知素子間に位置することを特徴とする請求項１１に記載のデュアルレンズカメラシステム。
【請求項１３】
さらに、磁気導電材を有し、且つ、前記第一レンズ駆動モジュールの前記磁気素子の少なくとも一側を被覆する遮蔽素子を有し、前記第一、および、前記第二レンズ駆動モジュール間の磁気妨害を減少させることを特徴とする請求項１に記載のデュアルレンズカメラシステム。
【請求項１４】
前記遮蔽素子は、さらに、前記第一レンズ駆動モジュールの前記レンズホルダの上表面に対応する少なくとも一つの凹部を形成して、前記レンズホルダが、前記遮蔽素子に衝突するのを防止することを特徴とする請求項１に記載のデュアルレンズカメラシステム。
【請求項１５】
前記第一、および、前記第二レンズ駆動モジュール中、互いに平行、且つ、隣接する両側で、前記磁気素子は異なる長さを有することを特徴とする請求項２に記載のデュアルレンズカメラシステム。
【請求項１６】
前記第一、および、前記第二レンズ駆動モジュール中、互いに平行、且つ、隣接する両側で、前記磁気素子の数は異なることを特徴とする請求項１５に記載のデュアルレンズカメラシステム。
【請求項１７】
前記第一、および、前記第二レンズ駆動モジュール中、互いに平行、且つ、隣接する両側で、前記磁気素子は同じ長さを有することを特徴とする請求項３に記載のデュアルレンズカメラシステム。 
【請求項１８】
前記第一、および、前記第二レンズ駆動モジュール中、互いに平行、且つ、隣接する両側で、前記磁気素子の数は同じであることを特徴とする請求項３に記載のデュアルレンズカメラシステム。
【請求項１９】
前記第一、および、前記第二レンズ駆動モジュールは、それぞれ、さらに、フレームを有し、前記レンズホルダは、その上に装着される前記磁気素子を有する前記フレーム中に設置され、且つ、前記第一駆動コイルと前記磁気素子間に生成される電磁力は、前記フレーム、および、その中の前記レンズホルダを、前記レンズの前記光軸に垂直な方向に沿って駆動させることを特徴とする請求項１に記載のデュアルレンズカメラシステム。
【請求項２０】
前記第一、および、前記第二レンズ駆動モジュールは、それぞれ、さらに、前記レンズホルダ上に設置される第二駆動コイルを有し、且つ、前記第二駆動コイルは、前記磁気素子との間に、電磁力を生成して、前記フレームに対して、前記光軸に沿って、前記レンズホルダを移動させることを特徴とする請求項１９に記載のデュアルレンズカメラシステム。
【発明の詳細な説明】
【技術分野】
【０００１】
本発明は、デュアルレンズカメラシステムに関するものであって、とくに、電磁力を用いて、レンズを移動させることができるデュアルレンズカメラシステムに関するものである。
【背景技術】
【０００２】
現有のデュアルレンズカメラシステムにおいて、二個のレンズ駆動モジュールは、通常、互いに隣接して設置され、よって、二個のレンズ駆動モジュールの磁石間の磁気妨害が発生して、(レンズ駆動モジュール中の可動部分の動きに伴って移動する)レンズの焦点速度、および、精度が悪影響を受ける。よって、二個のレンズ駆動モジュール間の磁気妨害を防止するデュアルレンズカメラシステムが必要である。
【先行技術文献】
【特許文献】
【０００３】
特開２０１３−２４９３８
【発明の概要】
【発明が解決しようとする課題】
【０００４】
前述の従来の問題点において、本発明は、デュアルレンズカメラシステムを提供し、二個のレンズ駆動モジュールの磁気素子により生成される磁気妨害を減少させ、これにより、デュアルレンズカメラシステム中のレンズの焦点速度と精度を改善することを目的とする。
【課題を解決するための手段】
【０００５】
本発明の一実施形態は、長軸方向で配置される第一レンズ駆動モジュール、および、第二レンズ駆動モジュールを有するデュアルレンズカメラシステムを提供する。第一、および、第二レンズ駆動モジュールは、それぞれ、レンズホルダ、少なくとも一つの磁気素子、および、駆動板を有する。レンズホルダは、レンズを収容する。駆動板は、少なくとも一つの第一駆動コイルを有し、磁気素子との間に、電磁力を生成して、レンズの光軸に垂直な方向に沿って、レンズホルダを移動させる。第一、および、第二レンズ駆動モジュール中、互いに平行、且つ、隣接する両側で、磁気素子は、異なる配置で設置される。
【０００６】
いくつかの実施形態において、第一、および、第二レンズ駆動モジュール中、互いに平行、且つ、隣接する両側で、磁気素子は、隣接する両側間の中心線に対して、非対称に設置される。
【０００７】
いくつかの実施形態において、第一、および、第二レンズ駆動モジュール中、互いに平行、且つ、隣接する両側で、上軸方向に沿って見るとき、磁気素子は重複しない。
【０００８】
いくつかの実施形態において、第一レンズ駆動モジュールの磁気素子は、長方形、あるいは、三角形の構造を有する。
【０００９】
いくつかの実施形態において、第一レンズ駆動モジュールは、さらに、第一レンズ駆動モジュールの四隅にそれぞれ設置される４個の磁気素子を有する。
【００１０】
いくつかの実施形態において、磁気素子は、少なくとも一つの多極磁石を有する。
【００１１】
いくつかの実施形態において、磁気素子が、第二レンズ駆動モジュールに隣接する第一レンズ駆動モジュールの第一側辺に設置される。
【００１２】
いくつかの実施形態において、第一レンズ駆動モジュールは、第一側辺と反対の第二側辺上に設置される磁気素子を有する。磁気素子の幅は、第一レンズ駆動モジュールの他の磁気素子の幅より大きい。
【００１３】
いくつかの実施形態において、第一レンズ駆動モジュールは、さらに、第一側辺に設置されるとともに、磁気素子に対応する重量平衡器を有して、第一レンズ駆動モジュールの重量平衡を維持する。
【００１４】
いくつかの実施形態において、第一レンズ駆動モジュールの磁気素子の磁極方向はレンズの光軸に平行である。
【００１５】
いくつかの実施形態において、第一レンズ駆動モジュールは、磁界感知素子を有する。磁気素子、および、磁界感知素子が、第二レンズ駆動モジュールに隣接する第一レンズ駆動モジュールの第一側辺上に設置される。磁気素子の磁界変化を検出することにより、磁界感知素子は、磁気素子の位置オフセット量を知ることができる。光軸に沿って見るとき、磁気素子、および、磁界感知素子は重複しない。
【００１６】
いくつかの実施形態において、第一レンズ駆動モジュールは、二個の磁界感知素子を有する。磁気素子、および、磁界感知素子は第一側辺に設置され、磁気素子は、磁界感知素子間に位置する。
【００１７】
いくつかの実施形態において、デュアルレンズカメラシステムは、さらに、遮蔽素子を有する。遮蔽素子は磁気導電材を有するとともに、第一レンズ駆動モジュールの磁気素子の少なくとも一側を被覆して、第一、および、第二レンズ駆動モジュール間の磁気妨害を減少させる。
【００１８】
いくつかの実施形態において、遮蔽素子は、さらに、第一レンズ駆動モジュールのレンズホルダの上表面に対応する少なくとも一つの凹部を形成して、レンズホルダが遮蔽素子に衝突するのを防止する。
【００１９】
いくつかの実施形態において、第一、および、第二レンズ駆動モジュール中、互いに平行、且つ、隣接する両側で、磁気素子は異なる長さを有する。
【００２０】
いくつかの実施形態において、第一、および、第二レンズ駆動モジュール中、互いに平行、且つ、隣接する両側で、磁気素子の数量は異なる。 
【００２１】
いくつかの実施形態において、第一、および、第二レンズ駆動モジュール中、互いに平行、且つ、隣接する両側で、磁気素子は同じ長さを有する。
【００２２】
いくつかの実施形態において、第一、および、第二レンズ駆動モジュール中、互いに平行、且つ、隣接する両側で、磁気素子の数量は同じである。
【００２３】
いくつかの実施形態において、第一、および、第二レンズ駆動モジュールは、それぞれ、さらに、フレームを有する。レンズホルダが、その上に取り付けられる磁気素子を有するフレーム中に設置される。第一駆動コイルと磁気素子間で生成される電磁力は、レンズの光軸に垂直な方向に沿って、フレーム、および、その中のレンズホルダを駆動する。
【００２４】
いくつかの実施形態において、第一、および、第二レンズ駆動モジュールは、それぞれ、さらに、レンズホルダ上に設置される第二駆動コイルを有する。第二駆動コイルは、磁気素子との間に電磁力を生成して、フレームに対する光軸に沿って、レンズホルダを移動させる。
【００２５】
本発明の目的、特徴、および、長所を説明するため、本発明の好ましい実施形態、および、図面を以下で詳細に説明する。
【発明の効果】
【００２６】
本発明により、磁気妨害が減少し、空間節約と装置小型化も達成される。
【図面の簡単な説明】
【００２７】
本発明のより良い理解のために以下の記載と添付の図面を参照する。
【図１】本発明の一実施形態によるデュアルレンズカメラシステムの概略図である。
【図２】図１のレンズ駆動モジュールの分解図である。
【図３】図１の線Ａ−Ａ’に沿った断面図である。
【図４】本発明の一実施形態によるデュアルレンズカメラシステムの磁気素子の配置を示す平面図である。
【図５Ａ】本発明の別の実施形態による二個のレンズ駆動モジュールの磁気素子の配置を示す平面図である。
【図５Ｂ】図５Ａの磁気素子Ｍ１の磁極方向(Ｎ−Ｓ)を示す概略図である。
【図６】本発明の別の実施形態による二個のレンズ駆動モジュールの磁気素子の配置を示す平面図である。
【図７】本発明の別の実施形態による二個のレンズ駆動モジュールの磁気素子の配置を示す平面図である。
【図８】本発明の別の実施形態による二個のレンズ駆動モジュールの磁気素子の配置を示す平面図である。
【図９】本発明の別の実施形態による二個のレンズ駆動モジュールの磁気素子の配置を示す平面図である。
【図１０】本発明の別の実施形態による二個のレンズ駆動モジュールの磁気素子の配置を示す平面図である。
【図１１】本発明の別の実施形態による二個のレンズ駆動モジュールの磁気素子の配置を示す平面図である。
【図１２】本発明の別の実施形態による二個のレンズ駆動モジュールの磁気素子の配置を示す平面図である。
【図１３】本発明の別の実施形態による二個のレンズ駆動モジュールの磁気素子の外側に遮蔽素子が取り付けられた概略図である。
【図１４】本発明の別の実施形態による各遮蔽素子が、少なくとも一つの凹部を有することを示す概略図である。
【発明を実施するための形態】
【００２８】
以下は、本発明の実施形態によるデュアルレンズカメラシステムを説明する。しかし、理解できることは、実施形態は、多くの適当な発明概念を提供し、幅広く特定の背景で実施することができる。討論される特定の実施形態は、特定の方法で本発明を使用することを説明するためのものであり、本発明を限定するものではない。
【００２９】
別に定義されない限り、ここで使用される全ての技術的、および、科学的用語は、この技術が属する当業者なら通常理解できる同意義を有する。理解できることは、これらの用語、たとえば、通常使用される辞典中で定義される用語は、相関技術、および、本発明の開示の背景、あるいは、上下文と一致する意味を有すると解釈されるべきであり、別に定義されない限り、理想化、あるいは、過度に正式な方式で解釈されるべきではない。 
【００３０】
図１〜図３を参照すると、図１は、本発明の一実施形態によるデュアルレンズカメラシステム１の概略図、図２は、図１のレンズ駆動モジュール２の分解図、図３は、図１の線Ａ−Ａ’に沿った断面図である。この実施形態において、デュアルレンズカメラシステム１の二個のレンズ駆動モジュール２は、携帯デジタル製品、たとえば、携帯電話、あるいは、タブレットＰＣ中に提供されるとともに、長軸方向(Ｘ軸方向)で、隣り合って設置される。二個のレンズ駆動モジュール２は、たとえば、同じ規格を有するとともに、光学式イメージスタビライザー(ＯＩＳ)機能を備えるボイスコイルメーター(ＶＣＭ)であるが、本発明はこれに限定されない。いくつかの実施形態において、デュアルレンズカメラシステム１の二個のレンズ駆動モジュール２は、さらに、異なる規格を有し、且つ、自動照準(ＡＦ)とＯＩＳ機能を備える。
【００３１】
図１〜図３に示されるように、この実施形態において、各レンズ駆動モジュール２は、上部ケーシング１０、ベース２０、レンズホルダ３０、駆動コイル４０、フレーム５０、４個の駆動磁石６０(磁気素子)、上スプリング７０、下スプリング７２、４個のサスペンションワイヤ７４、回路板８０、駆動板９０、および、二個の磁界感知素子９２を有する。
【００３２】
上部ケーシング１０は中空構造を有する。また、上部ケーシング１０は、ベース２０と結合されて、レンズ駆動モジュール２のハウジングＦを形成し、上部ケーシング１０はハウジングＦの上壁１０Ａと４個の側壁１０Ｂを構成し、且つ、ベース２０は、ハウジングＦの底壁２０Ａを構成する。このほか、上部ケーシング開口１２、および、ベース開口２２は、それぞれ、上部ケーシング１０、および、ベース２０上に形成される。上部ケーシング開口１２の中心は、レンズ(図示しない)の光軸Ｏ(Ｚ軸に平行)に位置する。ベース開口２２は、さらに、光軸Ｏに位置するとともに、レンズ駆動モジュール２外側に位置するイメージセンサ(図示しない)に面する。したがって、レンズ駆動モジュール２中のレンズは、光軸Ｏ方向で、イメージセンサとイメージ焦点調節を実行することができる。
【００３３】
フレーム５０は、開口５２、および、ハウジングＦの４個の側壁１０Ｂにそれぞれ対応する４個のフレームエッジ５０Ａを有する。この実施形態において、４個の駆動磁石６０が、４個のフレームエッジ５０Ａに取り付けられる。いくつかの実施形態において、４個の駆動磁石６０も、フレーム５０の四隅に取り付けられる。駆動磁石６０の形状は、細長い長方形、あるいは、三角形である。
【００３４】
レンズホルダ３０は、中空環形構造、および、スルーホール３２を有する。スルーホール３２は、レンズの外部周囲面上の別のスレッド構造に対応するスレッド構造(図示しない)を形成し、よって、レンズは、スルーホール３２で固定される。駆動コイル４０(第二駆動コイル)は、レンズホルダ３０の外部周囲面に巻かれる。
【００３５】
この実施形態において、レンズホルダ３０、および、その中のレンズは、フレーム５０中に移動可能な方式で設置される。さらにとくに、レンズホルダ３０は、金属材から形成される上スプリング７０と下スプリング７２により、フレーム５０の中心に吊るされる。電流が駆動コイル４０に供給されるとき、駆動コイル４０は、駆動磁石６０の磁界と作用して、電磁力を生成して、フレーム５０に対して、Ｚ軸(すなわち、光軸Ｏ)方向に沿って、レンズホルダ３０、および、その中のレンズを移動させる。たとえば、４個の駆動磁石６０(磁気素子)は、少なくとも一つの多極磁石を有し、多極磁石が用いられて、電磁的に、駆動コイル４０と作用して、レンズホルダ３０、および、レンズを、光軸Ｏに沿って移動させ、これにより、イメージ焦点調整を実行する。
【００３６】
さらに、上下スプリング７０と７２の外側周辺部分は、それぞれ、フレーム５０の上下側に接続され、且つ、上下スプリング７０と７２の内側周辺位置は、それぞれ、レンズホルダ３０の上下側に接続されて、レンズホルダ３０は、フレーム５０で吊るされる。
【００３７】
回路板８０、たとえば、フレキシブルプリント回路板(ＦＰＣ)は、たとえば、接着により、ベース２０に取り付けられる。この実施形態において、回路板８０は、レンズ駆動モジュール２外側に位置する駆動ユニット(図示しない)に電気的に接続されて、ＯＩＳ、および、その他の機能(たとえば、ＡＦ機能)を実行する。
【００３８】
４個のサスペンションワイヤ７４の一端は、回路板８０に取り付けられ、もう一端は、上スプリング７０に取り付けられるので、サスペンションワイヤ７４は、フレーム５０、および、その中のレンズホルダ３０を、ハウジングＦ内に吊るすことができる。サスペンションワイヤ７４は、金属材を有する。
【００３９】
駆動板９０、たとえば、プリント回路板は、４個の第一駆動コイル(図示しない)を有する。４個の第一駆動コイルの位置は、それぞれ、４個の駆動磁石６０の位置に対応する(二個の第一駆動コイルはＸ軸方向に水平で、残りの二個の第一駆動コイルはＹ軸方向に平行である)。駆動板９０は、たとえば、接着により、回路板８０に取り付けられる。
【００４０】
当然のことながら、回路板８０は配線(図示しない)を設置して、電気信号を駆動コイル４０、および、駆動板９０の第一駆動コイルに送信する。いくつかの実施形態において、回路板８０上の配線は、サスペンションワイヤ７４、および、上スプリング７０により、駆動コイル４０に電気的に接続され、これにより、レンズホルダ３０の移動を光軸Ｏに沿って制御する。
【００４１】
この実施形態において、二個の磁界感知素子９２は、それぞれ、Ｘ軸とＹ軸方向に延伸するベース２０の二側（二つのベース側辺）に装着される。二個の磁界感知素子９２は、ホール効果センサ(Hall effect sensors)、ＭＲセンサ、あるいは、フラックスゲートセンサ(Fluxgate sensors)であり、且つ、フレーム５０上の磁気素子６０の磁界変化を検出することにより、ベース２０に対するフレーム５０とレンズホルダ３０のＸ軸とＹ軸方向の位置オフセットを得るのに用いられる。
【００４２】
さらに、回路板８０は、駆動板９０の第一駆動コイルに送信される電気信号を生成し、第一駆動コイルは、フレーム５０上の駆動磁石６０と作用して、電磁力を生成して、フレーム５０、および、その中のレンズホルダ３０を光軸Ｏ(ＸＹ平面に平行)に垂直な一方向に沿って移動させて、上述の位置オフセットを補償する。その結果、ＯＩＳ機能が達成される。
【００４３】
図３に示されるように、デュアルレンズカメラシステム１中の二個のレンズ駆動モジュール２の位置がとても近いので、二個のレンズ駆動モジュール２の二個の隣接する駆動磁石６０間の磁気妨害が発生して、レンズの焦点速度と精度が悪影響を受ける。
【００４４】
図４は、本発明の一実施形態によるデュアルレンズカメラシステムの磁気素子の配置を示す平面図である。簡潔、且つ、分かりやすくするため、この実施形態、および、以下の実施形態は、二個のレンズ駆動モジュールのハウジングＦと磁気素子Ｍだけを説明して、それらの相対する位置を表す。図４に示されるように、デュアルレンズカメラシステム中の磁気素子Ｍ(図２と図３の駆動磁石６０に対応する)は、同じ構造(たとえば、すべて、長い長方形磁石である)を有する。さらに、二個の異なるハウジングＦに設置される二個に隣接する磁気素子Ｍ１とＭ２は、二個のハウジングＦ間の中心線Ｃに対して、対称に設置される。しかし、互いに近接する磁気素子Ｍ１とＭ２間の磁気妨害を減少させるため、磁気素子Ｍ１とＭ２は多極磁石を採用して、この問題を解決し、これにより、デュアルレンズカメラシステムのレンズの焦点速度と精度を確実にする。
【００４５】
このほか、以下の実施形態において、二個のハウジングＦ(二個のレンズ駆動モジュール)と互いに平行な隣接する両側に対応する隣接する磁気素子Ｍ１とＭ２は、さらに、異なる配置で設置されて、二個のレンズ駆動モジュールの隣接する磁気素子Ｍ１とＭ２により生成される磁気妨害を減少させて、よって、デュアルレンズカメラシステムの二個のレンズ駆動モジュール間の磁気妨害が減少する。
【００４６】
図５Ａは、本発明の別の実施形態による二個のレンズ駆動モジュールの磁気素子の配置を示す平面図である。この実施形態において、図５Ａの右側の第二レンズ駆動モジュールの磁気素子Ｍ(磁気素子Ｍ２を有する)はすべて、同じ構造(長い長方形の磁石)を有するとともに、図５Ａの左側の第一レンズ駆動モジュールの磁気素子Ｍ(磁気素子Ｍ１を有する)は、異なる構造配置を有する。たとえば、図５Ａに示されるように、第一レンズ駆動モジュールの磁気素子Ｍ１は、互いに隔てられた少なくとも二個の短い磁石(つまり、それらの長さは、別の磁気素子Ｍの長さより短い)を有する。したがって、第一、および、第二レンズ駆動モジュールの隣接する両側で、磁気素子Ｍ１とＭ２は、隣接する両側間の中心線Ｃに対して、非対称に設置される。
【００４７】
図５Ａに示される上述の構造設計により、二個のレンズ駆動モジュールの隣接する磁気素子Ｍ１とＭにより生成される磁気妨害が減少する。その結果、デュアルレンズカメラシステムの二個のレンズ駆動モジュール間の磁気妨害が減少する。当然のことながら、磁界感知素子９２(図２を参照)をベース２０に提供して、それぞれ、二個の磁気素子Ｍ１による磁界変化を検出することにより、ベース２０に関連するフレーム５０のＸ軸とＹ軸方向の位置オフセット量を知ることができる。このほか、図５Ｂの矢印方向により示されるように、磁気素子Ｍ１の磁極方向(Ｎ−Ｓ)が、レンズの光軸Ｏ(Ｚ軸方向)に平行なので、この実施形態において、第二レンズ駆動モジュールの磁気素子Ｍ１と磁気素子Ｍ２により生成される磁気妨害が減少する。また、二個の磁気素子Ｍ１が一距離により分離され、且つ、磁気素子Ｍ２の中央位置からオフセットするので、磁気素子Ｍ１とＭ２間の磁気妨害がさらに減少する。
【００４８】
図６は、本発明の別の実施形態による二個のレンズ駆動モジュールの磁気素子の配置を示す平面図である。図６に示されるように、この実施形態は、図５Ａの磁気素子Ｍ(磁気素子Ｍ２を有する)の構造配置と異なる。さらにとくに、この実施形態の磁気素子Ｍ１とＭ２は、すべて、短い磁石(長さは、別の磁気素子Ｍの長さより短い)であり、且つ、磁気素子Ｍ１とＭ２は交互方式で配置される。したがって、二個のレンズ駆動モジュールの隣接する両側で、磁気素子Ｍ１とＭ２は、隣接する両側間の中心線Ｃに対して非対称に設置される。たとえば、Ｘ軸方向で見たとき、磁気素子Ｍ１とＭ２は重複しない。この実施形態において、磁気素子Ｍ１とＭ２は同じ長さを有する。
【００４９】
図６に示される上述の構造設計により、二個のレンズ駆動モジュールの隣接する磁気素子Ｍ１とＭ２により生成される磁気妨害も減少する。その結果、デュアルレンズカメラシステムの二個のレンズ駆動モジュール間の磁気妨害が減少するとともに、デュアルレンズカメラシステムの重量が、効果的に減少する。
【００５０】
図７は、本発明の別の実施形態による二個のレンズ駆動モジュールの磁気素子の配置を示す平面図である。図７に示されるように、この実施形態が図６の実施形態と異なる点は、二個のレンズ駆動モジュールの隣接する磁気素子Ｍ１とＭ２の数はともに、たった１個であり、磁気素子Ｍ１とＭ２は交互方式で配置される。したがって、二個のレンズ駆動モジュールの隣接する両側で、磁気素子Ｍ１とＭ２は、隣接する両側間の中心線Ｃに対して非対称に設置される。さらに、Ｙ軸方向の磁気素子Ｍ１とＭ２間の大きい距離Ｄは、それらの間の磁気妨害も減少させる。
【００５１】
上述の実施形態において、磁気素子Ｍ１、あるいは、Ｍ２の数は、一つか二つであるが、３個、あるいは、それ以上でもよい。あるいは、二個のレンズ駆動モジュールの隣接する磁気素子Ｍ１とＭ２の数は、どちらも複数である。とくに、磁気素子Ｍ１とＭ２は互い違いである、あるいは、非対称に設置されて、それらの間の磁気妨害を減少させる。
【００５２】
図８は、本発明の別の実施形態による二個のレンズ駆動モジュールの磁気素子の配置を示す平面図である。この実施形態において、図８の右側の第二レンズ駆動モジュールの磁気素子Ｍ(磁気素子Ｍ２を有する)は全て、細長い長方形構造を有し、図８の左側の第一レンズ駆動モジュールの磁気素子Ｍ(二個の磁気素子Ｍ１を有する)はすべて、三角形の構造を有する。
【００５３】
さらに、第一レンズ駆動モジュールの磁気素子Ｍ(磁気素子Ｍ１を有する)は、それぞれ、ハウジングＦの四隅に位置し、第二レンズ駆動モジュールの磁気素子Ｍ(磁気素子Ｍ２を有する)は、それぞれ、ハウジングＦの四隅に位置する。したがって、二個のレンズ駆動モジュールの隣接する磁気素子Ｍ１とＭ２は、実質上、交互方式で配置される。つまり、二個のレンズ駆動モジュールの隣接する両側で、磁気素子Ｍ１とＭ２は、隣接する両側間の中心線Ｃに対して非対称に設置される。この実施形態において、Ｘ軸方向で見るとき、磁気素子Ｍ１とＭ２は重複しない。
【００５４】
図８に示される上述の構造設計により、二個のレンズ駆動モジュールの隣接する磁気素子Ｍ１とＭ２により生成される磁気妨害も減少する。その結果、デュアルレンズカメラシステムの二個のレンズ駆動モジュール間の磁気妨害が減少する。
【００５５】
図９は、本発明の別の実施形態による二個のレンズ駆動モジュールの磁気素子の配置を示す平面図である。この実施形態において、図９の右側の第二レンズ駆動モジュールは、対称に設置された４個の細長い長方形の磁気素子Ｍ(磁気素子Ｍ２を有する)を有する。一方、図９の左側の第一レンズ駆動モジュールの第一側辺Ｆ１(第二レンズ駆動モジュールに隣接する)において、第二レンズ駆動モジュールの磁気素子Ｍ２に対応する磁気素子が提供されない。よって、二個のレンズ駆動モジュール間の磁気妨害が減少する。
【００５６】
しかし、第一レンズ駆動モジュールの磁気素子Ｍの減少のために、駆動力が不十分である問題を克服するため、図１０で示されるように、第一レンズ駆動モジュールの第二側辺Ｆ２で提供される磁気素子Ｍの幅、体積、あるいは、重量を増加させて、第一レンズ駆動モジュールの駆動力全体を増強する。第二側辺Ｆ２上に設置される磁気素子Ｍは磁石であり、且つ、第二側辺Ｆ２は第一側辺Ｆ１の反対である。
【００５７】
このほか、図１０左側の第一レンズ駆動モジュールの重量の不均衡により生じる安定性の欠乏を回避するため、重量部材Ｗ(図１１を参照)も、第一レンズ駆動モジュールの第一側辺Ｆ１に提供されて、第二側辺Ｆ２上の磁気素子Ｍに対応し、第一レンズ駆動モジュールの重量平衡を維持する。
【００５８】
図１２は、本発明の別の実施形態による二個のレンズ駆動モジュールの磁気素子の配置を示す平面図である。この実施形態において、上述の磁気素子Ｍ１(たとえば、磁石)、および、二個の磁界感知素子９２が図１２の左側の第一レンズ駆動モジュールの第一側辺Ｆ１に提供され、且つ、磁気素子Ｍ１は、図１２の右側上の第二レンズ駆動モジュールの磁気素子Ｍ２に隣接する。特に、磁気素子Ｍ１の長さは、磁気素子Ｍ２より短く、且つ、磁気素子Ｍ１は、二個の磁界感知素子９２間に位置する。この実施形態において、磁気素子Ｍ１の長さを減少させることにより、磁気素子Ｍ１とＭ２間の磁気妨害も減少する。このほか、二個の磁界感知素子９２は、磁気素子Ｍ１の上下側の残りの空間に位置し、空間節約と装置小型化の目的が更に達成される。 
【００５９】
この実施形態において、磁界感知素子９２は、磁気素子Ｍ１の磁界変化を検出するのに用いられ、よって、磁気素子Ｍ１とフレーム５０のベース２０(図２と図３)に対する位置オフセット量を決定する。さらに、Ｚ軸(すなわち、図２の光軸Ｏ)方向に沿って見たとき、磁気素子Ｍ１、および、磁界感知素子９２は重複しない。しかし、いくつかの実施形態において、磁界感知素子９２、および、磁気素子Ｍ１だけが、第一側辺Ｆ１で提供される。この方法で、磁気素子Ｍ１とフレーム５０のベース２０に対する位置オフセット量も、磁界感知素子９２により得られ、空間節約の効果と装置小型化が達成される。
【００６０】
図１３は、本発明の別の実施形態による二個のレンズ駆動モジュールの磁気素子の外側に遮蔽素子が設置されたことを示す概略図である。図１３に示されるように、二個のレンズ駆動モジュールの可動部分(すなわち、図２と図３のフレーム５０)に装着された磁気素子Ｍ(磁気素子Ｍ１とＭ２を有する)の外側は、それぞれ、遮蔽素子(この実施形態は二個の遮蔽素子Ｓを有する)が取り付けられる。各遮蔽素子Ｓは、複数の遮蔽部分Ｓ１、および、遮蔽部分Ｓ１に接続するフレーム部分Ｓ２を有する。遮蔽素子は、フレーム５０に取り付けられるか、あるいは、フレーム５０と一体に形成される。当然のことながら、遮蔽素子Ｓは磁気導電材(たとえば、ニッケル-鉄合金)を有するので、遮蔽素子Ｓが導かれるとともに、磁気素子Ｍにより生成される磁力線が集中し、これにより、デュアルレンズカメラシステムの二個のレンズ駆動モジュールの隣接する磁気素子Ｍ１とＭ２間の磁気妨害を減少させる。
【００６１】
図１４を参照すると、いくつかの実施形態において、遮蔽素子Ｓのフレーム部分Ｓ２は、それぞれ、さらに、磁気素子Ｍ１、あるいは、Ｍ２の上表面に形成され、且つ、第一、あるいは、第二レンズ駆動モジュールのレンズホルダ３０(図２と図３)に対応する少なくとも一つの凹部Ｒを有する。レンズホルダ３０が、焦点調節や振動(focusing or vibration)のために、Ｚ軸方向に沿って、フレーム５０に対し下方に移動するとき、レンズホルダ３０(の上表面)が凹部Ｒに進入するとともに、磁気素子Ｍ１、あるいは、Ｍ２の上表面(停止面)に隣接し、これにより、レンズホルダ３０が遮蔽素子に衝突するのを防止するとともに、レンズホルダ３０を限定位置で制限する。その結果、レンズホルダ３０のＺ軸方向の移動距離が増加するだけでなく、第一、および、第二レンズ駆動モジュールのＺ軸方向の厚さも効果的に減少し、これにより、装置小型化の目的が達成される。 
【００６２】
図１３と図１４に示される磁気素子Ｍ１とＭ２の構造配置は、図６Ａの実施形態と類似しているが、磁気素子Ｍ１とＭ２は、図５Ａと図７〜図１２に示されるように配置されるか、または、二個のレンズ駆動モジュール間の磁気妨害を減少させることができるその他の任意の配置で設置し、遮蔽素子の遮蔽位置Ｓ１が、磁気素子Ｍ１、あるいは、Ｍ２の外側を被覆できさえすればよい。一方、前述の実施形態の磁気素子Ｍ１とＭ２の磁極方向(Ｎ−Ｓ)はＺ軸方向(図５Ｂに示される)に平行である、あるいは、磁気素子Ｍ１とＭ２は、さらに、多極磁石であるので、磁気素子Ｍ１とＭ２間の磁気妨害も減少する。
【００６３】
本発明の実施形態、および、その長所が詳細に記述されたが、当業者なら理解できるように、本発明の精神を逸脱しない限り、変更、代替、および、修飾が可能である。たとえば、当業者なら、本発明の精神を逸脱しない範囲で、ここで開示される多くの特徴、機能、プロセス、および、材料を変化させることができる。さらに、本発明の保護範囲は、明細書内で記述される特定の実施形態中のプロセス、機器、製造、物質組成、装置、方法、および、ステップに限定されず、当業者なら、本発明の開示から、現行の、あるいは、未来で発展するプロセス、機器、製造、物質組成、装置、方法、および、ステップを理解することができ、ここで記述される実施形態中、同じ機能を実行する、あるいは、対応する実施形態と同じ結果を達成することは、本発明の開示にしたがって利用される。よって、本発明の保護範囲は、このようなプロセス、機器、製造、物質組成、装置、方法、および、ステップを含む。さらに、各請求項は個別の実施形態を構成し、且つ、本発明の保護範囲も、各請求項範囲、および、実施形態の組み合わせを含む。本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【符号の説明】
【００６４】
１…デュアルレンズカメラシステム
２…レンズ駆動モジュール
１０…上部ケーシング
１０Ａ…上壁
１０Ｂ…側壁
１２…上部ケーシング開口
２０…ベース
２０Ａ…底壁
２２…ベース開口
３０…レンズホルダ
３２…スルーホール
４０…駆動コイル(第二駆動コイル)
５０…フレーム
５０Ａ…フレームエッジ
５２…開口
６０…駆動磁石
７０…上スプリング
７２…下スプリング
７４…サスペンションワイヤ
８０…回路板
９０…駆動板
９２…磁界感知素子
Ｃ…中心線
Ｄ…距離
Ｆ…ハウジング
Ｍ、Ｍ１、Ｍ２〜磁気素子
Ｏ〜光軸
Ｒ…凹部
Ｓ…遮蔽素子
【図１】
2017198988.tif 000003
【図２】
2017198988.tif 000004
【図３】
2017198988.tif 000005
【図４】
2017198988.tif 000006
【図５Ａ】
2017198988.tif 000007
【図５Ｂ】
2017198988.tif 000008
【図６】
2017198988.tif 000009
【図７】
2017198988.tif 000010
【図８】
2017198988.tif 000011
【図９】
2017198988.tif 000012
【図１０】
2017198988.tif 000013
【図１１】
2017198988.tif 000014
【図１２】
2017198988.tif 000015
【図１３】
2017198988.tif 000016
【図１４】
2017198988.tif 000017
【外国語明細書】
2017198988000001.pdf
2017198988000002.pdf
2017198988000003.pdf
2017198988000004.pdf